(57)【要約】【課題】非駆動期間の長さやタイミングを、モータの回転状態に応じて適応的に設定する。【解決手段】逆起検出回路２０は、モータ１１０の少なくとも１つのコイルに発生する逆起電圧Ｖｕを、コイルの中点電圧Ｖｃｏｍと比較してゼロクロス点を検出し、逆起検出信号ＢＥＭＦ＿ＥＤＧＥを出力する。スイッチング制御回路３０は、逆起検出信号ＢＥＭＦ＿ＥＤＧＥにもとづき、複数のスイッチング回路１０のスイッチング状態を制御し、モータ１１０のコイルに流れる電流を調節する。ウィンドウ生成回路４０は、逆起検出回路２０によるゼロクロス点の検出に先立ち、逆起検出信号の周期Ｔｐ１に所定の係数を乗じた期間、所定レベルとなるウィンドウ信号ＷＩＮＤＯＷを出力する。スイッチング制御回路３０は、ウィンドウ信号ＷＩＮＤＯＷが、所定レベルである期間、スイッチング回路１０のスイッチングを停止し、ハイインピーダンス状態となる非駆動期間とする。【選択図】図１
2007267553.tif 000002
【特許請求の範囲】
【請求項１】
多相モータに駆動電流を供給して駆動するモータ駆動回路であって、
前記多相モータのコイルごとに設けられ、接続されたコイルの一端に、ハイレベルまたはローレベルの電圧を印加する複数のスイッチング回路と、
前記多相モータの少なくとも１つのコイルに発生する逆起電圧を、コイルの中点電圧と比較してゼロクロス点を検出し、逆起検出信号を出力する逆起検出回路と、
前記逆起検出回路から出力される逆起検出信号にもとづき、前記複数のスイッチング回路のスイッチング状態を制御し、前記多相モータのコイルに流れる電流を調節するスイッチング制御回路と、
前記逆起検出回路によるゼロクロス点の検出に先立ち、前記逆起検出回路から出力される逆起検出信号の周期に所定の係数を乗じた期間、所定レベルとなるウィンドウ信号を出力するウィンドウ生成回路と、
を備え、
前記スイッチング制御回路は、前記ウィンドウ生成回路からのウィンドウ信号が、前記所定レベルである期間、前記スイッチング回路のスイッチングを停止し、ハイインピーダンス状態に設定することを特徴とするモータ駆動回路。
【請求項２】
前記ウィンドウ生成回路は、
前記所定の係数をα（αは、０＜α＜１を満たす実数）とするとき、
前記逆起検出回路から、ある逆起検出信号が出力されてから、前記逆起検出信号の周期に係数（１−α）を乗じた期間の経過後に、前記ウィンドウ信号を前記所定レベルとし、
その後、前記逆起検出回路から、次の逆起検出信号が出力されたことを契機として、前記ウィンドウ信号を、前記所定レベルと異なるレベルとすることを特徴とする請求項１に記載のモータ駆動回路。
【請求項３】
前記ウィンドウ生成回路は、
前記逆起検出回路から出力される前記逆起検出信号を受け、当該逆起検出信号のｎ倍（ｎは２以上の整数）の周波数のパルス信号を生成するパルス信号生成回路と、
前記逆起検出回路からの前記逆起検出信号と、前記パルス信号生成回路からの前記パルス信号と、を受け、ある逆起検出信号を検出した後、前記パルス信号をｍ個（ｍは、ｍ＜ｎを満たす整数）検出すると、前記ウィンドウ信号を前記所定レベルとし、その後、次の逆起検出信号を検出すると、前記ウィンドウ信号を前記所定レベルと異なるレベルとするタイミング設定部と、
を含むことを特徴とする請求項２に記載のモータ駆動回路。
【請求項４】
前記タイミング設定部は、前記整数ｍの調節手段を備えることを特徴とする請求項３に記載のモータ駆動回路。
【請求項５】
前記パルス信号生成回路は、
前記逆起検出信号の周波数を測定する周波数カウンタと、
前記周波数カウンタにより測定された周波数のｎ倍（ｎは２以上の整数）の周波数のパルス信号を生成するクロック信号生成部と、
を含むことを特徴とする請求項３または４に記載のモータ駆動回路。
【請求項６】
前記クロック信号生成部は、
前記周波数カウンタにより測定された過去Ｋ回分（Ｋは１以上の整数）の周波数値を演算し、演算の結果に応じて、生成すべきパルス信号の周波数を設定することを特徴とする請求項５に記載のモータ駆動回路。
【請求項７】
前記クロック信号生成部は、前記整数Ｋの調節手段を備えることを特徴とする請求項６に記載のモータ駆動回路。
【請求項８】
前記パルス信号生成回路は、
過去Ｌ回（Ｌは、Ｌ≧Ｋを満たす整数）分の周波数値を保持する記憶部と、
前記記憶部に保持された周波数値にもとづき、前記所定の演算を実行する演算部と、
をさらに含み、
前記クロック信号生成部は、前記演算部の演算結果に応じた周波数のパルス信号を生成することを特徴とする請求項６に記載のモータ駆動回路。
【請求項９】
前記記憶部は、Ｌ段のシフトレジスタであることを特徴とする請求項８に記載のモータ駆動回路。
【請求項１０】
前記演算部は、前記記憶部に保持されたＬ回分の周波数値のうち、最新のＫ回の周波数値を演算して、前記パルス信号の周波数を決定することを特徴とする請求項８に記載のモータ駆動回路。
【請求項１１】
前記タイミング設定部は、
前記逆起検出回路から出力される逆起検出信号と、前記パルス信号生成回路から出力されるパルス信号と、を受け、ある逆起検出信号を検出した後、前記パルス信号をｍ個カウントすると、所定レベルとなるオープンエッジ信号を出力するカウンタと、
前記カウンタから前記所定レベルのオープンエッジ信号が出力されると前記所定レベルとなり、その後、次の逆起検出信号を検出すると、前記所定レベルと異なるレベルとなるウィンドウ信号を出力するウィンドウ信号出力部と、
を含むことを特徴とする請求項３に記載のモータ駆動回路。
【請求項１２】
１つの半導体基板上に一体集積化されたことを特徴とする請求項１から１１のいずれかに記載のモータ駆動回路。
【請求項１３】
ディスクを回転させるスピンドルモータと、
前記スピンドルモータを駆動する請求項１から１１のいずれかに記載のモータ駆動回路と、
を備えることを特徴とするディスク装置。
【請求項１４】
多相モータに駆動電流を供給するモータ駆動方法であって、
前記多相モータの少なくとも１つのコイルに発生する逆起電圧を、コイルの中点電圧と比較してゼロクロス点を検出し、逆起検出信号を出力する逆起検出ステップと、
前記逆起検出信号に応じて、前記多相モータの各コイルの一端に、ハイレベルまたはローレベルの電圧を印加し、前記多相モータのコイルに流れる電流を調節するステップと、
前記逆起検出ステップにおけるゼロクロス点の検出に先立ち、前記逆起検出信号の周期に所定の係数を乗じた期間、前記コイルに接続される回路をハイインピーダンス状態に設定するステップと、
を備えることを特徴とする方法。
【発明の詳細な説明】
【技術分野】
【０００１】
本発明は、回転子の回転を制御する技術に関し、特に、複数のコイルを有するステータと磁性を有するロータとを含むモータの回転を制御するモータ駆動回路に関する。
【背景技術】
【０００２】
ポータブルＣＤ（Ｃｏｍｐａｃｔ  Ｄｉｓｃ）装置や、ＤＶＤ（Ｄｉｇｉｔａｌ  Ｖｅｒｓａｔｉｌｅ  Ｄｉｓｃ）など、ディスク型メディアを使用した電子機器において、そのディスクを回転させるためにブラシレス直流モータが用いられる。ブラシレス直流（ＤＣ）モータは、一般に、永久磁石を備えたロータと、スター結線された複数の相のコイルを備えたステータとを備えており、コイルに供給する電流を制御することによりコイルを励磁し、ロータをステータに対して相対回転させて駆動する。ブラシレスＤＣモータは、ロータの回転位置を検出するために、一般に、ホール素子や光学エンコーダなどのセンサを備えており、センサにより検出された位置に応じて、各相のコイルに供給する電流を切り換えて、ロータに適切なトルクを与える。
【０００３】
モータをより小型化するために、ホール素子などのセンサを利用せずにロータの回転位置を検出するセンサレスモータも提案されている（たとえば、特許文献１、２参照）。センサレスモータは、たとえばモータの中点配線の電位（以下、中点電圧という）を計測することにより、コイルに発生する逆起電圧（誘導電圧）をモニタし、中点電圧と等しくなるゼロクロス点を検出することにより位置情報を得る。
【０００４】
こうしたセンサレスモータの駆動において、ある相コイルの逆起電圧をモニタするためには、ゼロクロス点の発生するタイミングに合わせて、非駆動状態を設定する必要がある。この非駆動状態においては、相コイルに接続されるドライバは、スイッチング駆動が停止され、ハイインピーダンス状態に設定される。特に、１８０度通電方式などによる駆動では、相コイルには常に電流が流れているため、ゼロクロス点の発生するタイミングを予測し、この予測結果に応じて、ハイインピーダンス状態を設定する必要がある。たとえば、特許文献４には、ハイインピーダンス状態に設定するタイミングを、ＰＬＬ（Ｐｈａｓｅ  Ｌｏｃｋｅｄ  Ｌｏｏｐ）方式により実現する方法が開示される。
【０００５】
【特許文献１】特開平３−２０７２５０号公報
【特許文献２】特開平１０−２４３６８５号公報
【特許文献３】特開平１１−３４１８７０号公報
【特許文献４】特開２００１−１９００８５号公報
【発明の開示】
【発明が解決しようとする課題】
【０００６】
ここで、ハイインピーダンス状態に設定する非駆動期間を長く設定すると、ゼロクロスを確実に検出できる反面、モータのコイルに流れる電流が不連続となるため、モータから発生する騒音の増大につながる。したがって、非駆動期間は極力短い方が望ましいが、短くしすぎると、ゼロクロス点と非駆動期間のタイミングが合わない状況が発生しうる。こうした状況が発生すると、モータの回転ムラや、最悪の場合にはモータの停止などの問題を引き起こす。したがって、非駆動期間の設定は、モータの回転数や、負荷の変動に追従させて、適応的に実行する必要がある。
【０００７】
本発明はこうした状況に鑑みてなされたものであり、その目的は、非駆動期間の長さやタイミングを、モータの回転状態に応じて適応的に設定可能なモータ駆動回路の提供にある。
【課題を解決するための手段】
【０００８】
本発明のある態様は、多相モータに駆動電流を供給して駆動するモータ駆動回路に関する。この駆動回路は、多相モータのコイルごとに設けられ、接続されたコイルの一端に、ハイレベルまたはローレベルの電圧を印加する複数のスイッチング回路と、多相モータの少なくとも１つのコイルに発生する逆起電圧を、コイルの中点電圧と比較してゼロクロス点を検出し、逆起検出信号を出力する逆起検出回路と、逆起検出回路から出力される逆起検出信号にもとづき、複数のスイッチング回路のスイッチング状態を制御し、多相モータのコイルに流れる電流を調節するスイッチング制御回路と、逆起検出回路によるゼロクロス点の検出に先立ち、逆起検出回路から出力される逆起検出信号の周期に所定の係数を乗じた期間、所定レベルとなるウィンドウ信号を出力するウィンドウ生成回路と、を備える。スイッチング制御回路は、ウィンドウ生成回路からのウィンドウ信号が、所定レベルである期間、スイッチング回路のスイッチングを停止し、ハイインピーダンス状態に設定する。
【０００９】
逆起検出信号は、モータの回転数に比例した頻度で生成される。したがって、ゼロクロス点の検出のために、スイッチング回路をハイインピーダンス状態とする非駆動期間を、逆起検出信号の周期にほぼ比例して、すなわち、モータの回転数に反比例して、適応的に設定することができる。
【００１０】
ウィンドウ生成回路は、所定の係数をα（αは、０＜α＜１を満たす実数）とするとき、逆起検出回路から、ある逆起検出信号が出力されてから、逆起検出信号の周期に係数（１−α）を乗じた期間の経過後に、ウィンドウ信号を所定レベルとし、その後、逆起検出回路から、次の逆起検出信号が出力されたことを契機として、ウィンドウ信号を、所定レベルと異なるレベルとしてもよい。
この場合、逆起検出信号の周期に比例した期間、スイッチング回路をハイインピーダンス状態に設定することができ、さらに、ハイインピーダンス状態とするタイミングを、ゼロクロス点の検出に先立ち、確実に設定することができる。
【００１１】
ウィンドウ生成回路は、逆起検出回路から出力される逆起検出信号を受け、当該逆起検出信号のｎ倍（ｎは２以上の整数）の周波数のパルス信号を生成するパルス信号生成回路と、逆起検出回路からの逆起検出信号と、パルス信号生成回路からのパルス信号と、を受け、ある逆起検出信号を検出した後、パルス信号をｍ個（ｍは、ｍ＜ｎを満たす整数）検出すると、ウィンドウ信号を所定レベルとし、その後、次の逆起検出信号を検出すると、ウィンドウ信号を所定レベルと異なるレベルとするタイミング設定部と、を含んでもよい。
【００１２】
タイミング設定部は、整数ｍの調節手段を備えてもよい。この場合、整数ｍを、本モータ駆動回路に接続されるモータの種類などに応じて変更することができるため、安定したモータ駆動が実現される。
【００１３】
パルス信号生成回路は、逆起検出信号の周波数を測定する周波数カウンタと、周波数カウンタにより測定された周波数のｎ倍（ｎは２以上の整数）の周波数のパルス信号を生成するクロック信号生成部と、を含んでもよい。周波数カウンタは、ある逆起検出信号が入力されてから、次の逆起検出信号が入力されるまでの期間に、所定の周波数のクロック信号をカウントし、逆起検出信号の周期を測定してもよい。
【００１４】
クロック信号生成部は、周波数カウンタにより測定された過去Ｋ回分（Ｋは１以上の整数）の周波数値を演算し、演算の結果に応じて、生成すべきパルス信号の周波数を設定してもよい。
【００１５】
クロック信号生成部は、整数Ｋの調節手段を備えてもよい。この場合、Ｋを小さくするほど、帰還ループの利得が上がるため、モータの回転数の変動に対する追従性を高く設定することができ、Ｋを大きくするほど、帰還ループの利得が下がるため、ループの安定度を高めることができる。したがって、モータの種類や、回転数、駆動方式に応じて、Ｋの値を設定することにより、最適なモータ駆動を実現することができる。
【００１６】
パルス信号生成回路は、過去Ｌ回（Ｌは、Ｌ≧Ｋを満たす整数）分の周波数値を保持する記憶部と、記憶部に保持された周波数値にもとづき、所定の演算を実行する演算部と、をさらに含んでもよい。クロック信号生成部は、演算部の演算結果に応じた周波数のパルス信号を生成してもよい。記憶部は、Ｌ段のシフトレジスタであってもよい。
【００１７】
演算部は、記憶部に保持されたＬ回分の周波数値のうち、最新のＫ回の周波数値を演算して、パルス信号の周波数を決定してもよい。
【００１８】
タイミング設定部は、逆起検出回路から出力される逆起検出信号と、パルス信号生成回路から出力されるパルス信号と、を受け、ある逆起検出信号を検出した後、パルス信号をｍ個カウントすると、所定レベルとなるオープンエッジ信号を出力するカウンタと、カウンタから所定レベルのオープンエッジ信号が出力されると所定レベルとなり、その後、次の逆起検出信号を検出すると、所定レベルと異なるレベルとなるウィンドウ信号を出力するウィンドウ信号出力部と、を含んでもよい。
【００１９】
モータ駆動回路は、１つの半導体基板上に一体集積化されてもよい。「一体集積化」とは、回路の構成要素のすべてが半導体基板上に形成される場合や、回路の主要構成要素が一体集積化される場合が含まれ、回路定数の調節用に一部の抵抗やキャパシタなどが半導体基板の外部に設けられていてもよい。モータ駆動回路を、１つのＬＳＩとして集積化することにより、回路面積を削減することができる。
【００２０】
本発明の別の態様は、ディスク装置である。この装置は、ディスクを回転させるスピンドルモータと、スピンドルモータを駆動する上述のモータ駆動回路と、を備える。
【００２１】
この態様によると、モータのコイルに接続されるスイッチング回路がハイインピーダンスとなる期間を、極力短く設定することができるため、モータのコイルに流れる電流が不連続となる期間を短縮でき、スピンドルモータから発生する騒音を低減することができる。
【００２２】
本発明のさらに別の態様は、方法である。この方法は、多相モータに駆動電流を供給するモータ駆動方法であって、多相モータの少なくとも１つのコイルに発生する逆起電圧を、コイルの中点電圧と比較してゼロクロス点を検出し、逆起検出信号を出力する逆起検出ステップと、逆起検出信号に応じて、多相モータの各コイルの一端に、ハイレベルまたはローレベルの電圧を印加し、多相モータのコイルに流れる電流を調節するステップと、逆起検出ステップにおけるゼロクロス点の検出に先立ち、逆起検出信号の周期に所定の係数を乗じた期間、コイルに接続される回路をハイインピーダンス状態に設定するステップと、を備える。
【発明の効果】
【００２３】
本発明によれば、非駆動期間の長さやタイミングを、モータの回転状態に応じて適応的に設定することができる。
【発明を実施するための最良の形態】
【００２４】
図１は、実施の形態に係るモータ駆動回路１００の構成を示すブロック図である。モータ駆動回路１００は、センサレスブラシレスＤＣモータ（以下、単に「モータ１１０」という）に駆動電流を供給して回転を制御する。本実施の形態において、駆動対象となるモータ１１０は、Ｕ相、Ｖ相、Ｗ相のコイルＬｕ、Ｌｖ、Ｌｗを含む３相ＤＣモータである。
【００２５】
モータ駆動回路１００は、スイッチング回路１０と総称されるスイッチング回路１０ｕ、１０ｖ、１０ｗ、と、逆起検出回路２０と、スイッチング制御回路３０と、ウィンドウ生成回路４０と、を備える。モータ駆動回路１００は、１つの半導体基板上に機能ＩＣとして一体集積化される。たとえば、モータ駆動回路１００は、１８０度通電方式により、各相のコイルに流れる電流が、アーチ状あるいは正弦波状となるように、ＰＷＭ（Ｐｕｌｓｅ  Ｗｉｄｔｈ  Ｍｏｄｕｌａｔｉｏｎ）駆動する。
【００２６】
スイッチング回路１０ｕ、１０ｖ、１０ｗは、モータ１１０のコイルＬｕ、Ｌｖ、Ｌｗごとに設けられる。スイッチング回路１０ｕ、１０ｖ、１０ｗは、たとえば電源電圧と接地電位間に直列に接続されたハイサイドスイッチおよびローサイドスイッチを含んで構成され、２つのスイッチの接続点が、コイルに接続される。ハイサイドスイッチおよびローサイドスイッチの制御端子には、駆動信号ＤＲＶ＿Ｈ（Ｕ、Ｖ、Ｗ）および駆動信号ＤＲＶ＿Ｌ（Ｕ、Ｖ、Ｗ）がそれぞれ入力される。スイッチング回路１０ｕ、１０ｖ、１０ｗは、接続されたコイルの一端に、ハイサイドスイッチがオンの状態でハイレベルの電圧を印加し、ローサイドスイッチがオンの状態でローレベルの電圧を印加する。また、ハイサイドスイッチおよびローサイドスイッチが同時にオフすることで、ハイインピーダンス状態に設定される。
【００２７】
逆起検出回路２０は、モータ１１０の少なくとも１つのコイルに発生する逆起電圧を、コイルの中点電圧と比較してゼロクロス点を検出し、逆起検出信号ＢＥＭＦ＿ＥＤＧＥを出力する。本実施の形態において、逆起検出回路２０は、Ｕ相のコイルＬｕに発生する逆起電圧Ｖｕおよび中点電圧Ｖｃｏｍをモニタし、Ｖｕ＞Ｖｃｏｍのときハイレベルとなる逆起検出信号ＢＥＭＦ＿ＥＤＧＥを生成する。生成された逆起検出信号ＢＥＭＦ＿ＥＤＧＥは、スイッチング制御回路３０およびウィンドウ生成回路４０へと出力される。
【００２８】
スイッチング制御回路３０は、逆起検出回路２０から出力される逆起検出信号ＢＥＭＦ＿ＥＤＧＥにもとづき、複数のスイッチング回路１０ｕ、１０ｖ、１０ｗのオンオフ状態のシーケンス、すなわちスイッチング状態を制御し、モータ１１０のコイルに流れる電流を調節する。スイッチング制御回路３０は、駆動タイミング生成回路３２および駆動信号合成回路３４を含む。
【００２９】
駆動タイミング生成回路３２には、逆起検出信号ＢＥＭＦ＿ＥＤＧＥが入力される。駆動タイミング生成回路３２は、逆起検出信号ＢＥＭＦ＿ＥＤＧＥの周期Ｔｐ１の１／６の周期を有する駆動信号ＤＲＶを生成する。駆動信号合成回路３４は、駆動信号ＤＲＶに応じて、スイッチング回路１０ｕ、１０ｖ、１０ｗの駆動状態を制御する。たとえば、駆動信号合成回路３４は、正弦波をパルス幅変調して得られるパルス信号を、駆動信号ＤＲＶと合成して、スイッチング回路１０ｕ，１０ｖ，１０ｗへと出力する。
【００３０】
ウィンドウ生成回路４０は、逆起検出回路２０によるゼロクロス点の検出に先立ち、逆起検出回路２０から出力される逆起検出信号ＢＥＭＦ＿ＥＤＧＥの周期Ｔｐ１に所定の係数α（αは、０＜α＜１を満たす実数）を乗じた期間（Ｔｐ３＝Ｔｐ１×α）、所定レベルとなるウィンドウ信号ＷＩＮＤＯＷを出力する。本実施の形態において、所定レベルはハイレベルである。
【００３１】
ウィンドウ生成回路４０には、逆起検出回路２０からの逆起検出信号ＢＥＭＦ＿ＥＤＧＥが入力される。ウィンドウ生成回路４０は、逆起検出回路２０から、ある逆起検出信号ＢＥＭＦ＿ＥＤＧＥが出力されてから、逆起検出信号ＢＥＭＦ＿ＥＤＧＥの周期Ｔｐ１に係数（１−α）を乗じた期間の経過後に、ウィンドウ信号ＷＩＮＤＯＷをハイレベルとする。ウィンドウ生成回路４０は、その後、逆起検出回路２０から、次の逆起検出信号ＢＥＭＦ＿ＥＤＧＥが出力されたことを契機として、ウィンドウ信号ＷＩＮＤＯＷを、所定レベルと異なるレベル、すなわちローレベルとする。
【００３２】
ウィンドウ信号ＷＩＮＤＯＷは、スイッチング制御回路３０の駆動信号合成回路３４へと出力される。駆動信号合成回路３４は、ウィンドウ信号ＷＩＮＤＯＷがハイレベルである期間、ゼロクロス点の検出のためにモニタすべき逆起電圧Ｖｕが発生する端子に接続されたスイッチング回路１０ｕのスイッチングを停止し、ハイインピーダンス状態に設定する。すなわち、ウィンドウ信号ＷＩＮＤＯＷがハイレベルとなる期間は、ゼロクロス点の検出のために、故意に駆動しない相が設定される。本実施の形態では、非駆動期間Ｔｐ３において、Ｕ相が駆動しない相に設定される。
【００３３】
図２は、モータ駆動回路１００の一部の構成例を示すブロック図である。逆起検出回路２０は、コンパレータであって、コイルＬｕに現れる逆起電圧Ｖｕと、中点電圧Ｖｃｏｍを比較し、Ｖｕ＞Ｖｃｏｍのときハイレベル、Ｖｕ＜Ｖｃｏｍのときローレベルとなる逆起検出信号ＢＥＭＦ＿ＥＤＧＥを出力する。
【００３４】
ウィンドウ生成回路４０は、パルス信号生成回路４２、タイミング設定部４４を含む。パルス信号生成回路４２は、逆起検出回路２０から出力される逆起検出信号ＢＥＭＦ＿ＥＤＧＥを受け、当該逆起検出信号ＢＥＭＦ＿ＥＤＧＥのｎ倍（ｎは２以上の整数）の周波数のパルス信号ＰＵＬＳＥを生成する。
【００３５】
タイミング設定部４４は、逆起検出回路２０からの逆起検出信号ＢＥＭＦ＿ＥＤＧＥと、パルス信号生成回路４２からのパルス信号ＰＵＬＳＥと、を受ける。タイミング設定部４４は、ある逆起検出信号ＢＥＭＦ＿ＥＤＧＥを検出した後、パルス信号ＰＵＬＳＥをｍ個（ｍは、ｍ＜ｎを満たす整数）カウントすると、ウィンドウ信号ＷＩＮＤＯＷをハイレベルとする。その後、次の逆起検出信号ＢＥＭＦ＿ＥＤＧＥを検出すると、ウィンドウ信号ＷＩＮＤＯＷをローレベルとする。
【００３６】
整数ｍは、調節可能であることが望ましい。たとえば、モータ駆動回路１００は、整数ｍを保持するためのレジスタを備えてもよく、外部から整数ｍを設定できるように構成する。
【００３７】
図３は、パルス信号生成回路４２およびタイミング設定部４４の構成例を示すブロック図である。パルス信号生成回路４２は、周波数カウンタ５０、クロック信号生成部５６を備える。
【００３８】
周波数カウンタ５０は、逆起検出信号ＢＥＭＦ＿ＥＤＧＥの周波数、すなわち周期Ｔｐ１を測定する。たとえば、周波数カウンタ５０には、所定の周波数のクロック信号（図示せず）が入力される。周波数カウンタ５０は、ある逆起検出信号ＢＥＭＦ＿ＥＤＧＥが入力されてから、次の逆起検出信号ＢＥＭＦ＿ＥＤＧＥが入力されるまでの期間の、クロック信号をカウントし、逆起検出信号ＢＥＭＦ＿ＥＤＧＥの周期Ｔｐ１を測定する。周波数カウンタ５０は、測定したカウント値ＣＯＵＮＴを、周波数値として、順次、出力する。
【００３９】
クロック信号生成部５６は、周波数カウンタ５０により測定された周波数のｎ倍（ｎは２以上の整数）の周波数のパルス信号ＰＵＬＳＥを生成する。すなわち、パルス信号ＰＵＬＳＥの周期Ｔｐ２は、逆起検出信号ＢＥＭＦ＿ＥＤＧＥの周期Ｔｐ１の、１／ｎに設定される。
【００４０】
クロック信号生成部５６は、周波数カウンタ５０により測定された過去Ｋ回分（Ｋは１以上の整数）の周波数値ＣＯＵＮＴを演算し、演算の結果に応じて、生成すべきパルス信号の周波数を設定する。演算対象とする周波数値の個数に対応する整数Ｋは、調節可能であることが好ましい。
【００４１】
この機能を実現するために、パルス信号生成回路４２は、クロック信号生成部５６の前段に、記憶部５２、演算部５４を備える。記憶部５２は、過去Ｌ回（Ｌは、Ｌ≧Ｋを満たす整数）分の周波数値ＣＯＵＮＴを保持する。記憶部５２は、たとえば、Ｌ段のシフトレジスタであってもよい。演算部５４は、記憶部５２に保持された周波数値にもとづき、所定の演算を実行する。演算処理は、単純平均であってもよいし、重みづけ平均であってもよい。
【００４２】
クロック信号生成部５６は、演算部５４の演算結果に応じた周波数のパルス信号ＰＵＬＳＥを生成する。たとえば、演算部５４は、記憶部５２に保持されたＬ回分の周波数値のうち、最新のＫ回の周波数値を演算して、パルス信号ＰＵＬＳＥの周波数を決定する。演算処理は、Ｋ個のカウント値を単純平均してもよいし、重みづけ平均してもよい。整数Ｋは、上述のように、可変であって、外部から設定可能に構成されるのが望ましい。Ｋ＝１の場合は、直前の逆起検出信号ＢＥＭＦ＿ＥＤＧＥの周期Ｔｐ１に応じて、パルス信号ＰＵＬＳＥの周期Ｔｐ２が設定される。
【００４３】
タイミング設定部４４は、逆起検出回路２０から出力される逆起検出信号ＢＥＭＦ＿ＥＤＧＥと、パルス信号生成回路４２から出力されるパルス信号ＰＵＬＳＥと、を受ける。タイミング設定部４４は、カウンタ６０、ウィンドウ信号出力部６２を含む。カウンタ６０は、ある逆起検出信号ＢＥＭＦ＿ＥＤＧＥを検出した後、パルス信号ＰＵＬＳＥをｍ個カウントすると、ハイレベルとなるオープンエッジ信号ＯＰＥＮ＿ＥＤＧＥを出力する。ウィンドウ信号出力部６２は、カウンタ６０からハイレベルのオープンエッジ信号ＯＰＥＮ＿ＥＤＧＥが出力されるとハイレベルとなり、その後、次の逆起検出信号ＢＥＭＦ＿ＥＤＧＥを検出すると、ローレベルとなるウィンドウ信号ＷＩＮＤＯＷを出力する。
【００４４】
以上のように構成されたモータ駆動回路１００の動作を説明する。図４（ａ）〜（ｌ）は、実施の形態に係るモータ駆動回路１００の動作を示すタイムチャートである。同図（ａ）〜（ｌ）の縦軸および横軸は、理解を容易とするために適宜拡大、縮小したものであり、また示される各波形も、理解の容易のために簡略化されている。同図（ａ）〜（ｃ）は、スイッチング回路１０ｕ、１０ｖ、１０ｗにより、Ｕ相、Ｖ相、Ｗ相のコイルＬｕ、Ｌｖ、Ｌｗの駆動状態を示す波形である。同図（ｄ）は、逆起検出回路２０により検出される逆起検出信号ＢＥＭＦ＿ＥＤＧＥを、同図（ｅ）は、駆動タイミング生成回路３２により生成される駆動信号ＤＲＶを、同図（ｆ）は、ウィンドウ生成回路４０により生成されるウィンドウ信号ＷＩＮＤＯＷを、示す。さらに、同図（ｇ）〜（ｌ）は、スイッチング回路１０ｕ〜１０ｗの、ハイサイドスイッチおよびローサイドスイッチの駆動信号ＤＲＶ＿Ｈ、ＤＲＶ＿Ｌを示す。
【００４５】
図４（ａ）〜（ｃ）に示すように、本実施の形態では、駆動電流がアーチ波形となるように駆動される。もっとも本発明はこれに限定されるものではなく、正弦波であってもよい。本実施の形態において、逆起検出信号ＢＥＭＦ＿ＥＤＧＥは、同図（ｄ）に示すように逆起電圧Ｖｕが中点電圧Ｖｃｏｍと交差するゼロクロス点ごとに生成される。駆動タイミング生成回路３２は、逆起検出信号ＢＥＭＦ＿ＥＤＧＥの周期Ｔｐ１を１／６倍した同図（ｅ）に示す駆動信号ＤＲＶを生成する。駆動信号ＤＲＶは、図示のごとく、逆起検出信号ＢＥＭＦ＿ＥＤＧＥに対してある遅延Ｔｄが与えられてもよい。この遅延Ｔｄを調節することにより、モータ駆動が最適化される。
【００４６】
駆動信号合成回路３４は、駆動タイミング生成回路３２により生成された駆動信号ＤＲＶにもとづき、スイッチング回路１０ｕ〜１０ｗのオンオフを制御するための駆動信号ＤＲＶ＿Ｈ（Ｕ、Ｖ、Ｗ）、ＤＲＶ＿Ｌ（Ｕ、Ｖ、Ｗ）を生成する。この駆動シーケンスは、通電角などに応じて適宜設定される。
【００４７】
図４（ｇ）に示す駆動信号ＤＲＶ＿ＨＵは、ハイレベルがスイッチング回路１０ｕのハイサイドスイッチのオン状態に、ローレベルがオフ状態に対応する。同図（ｈ）〜（ｌ）に示す駆動信号ＤＲＶ＿Ｈ（Ｖ、Ｗ）、ＤＲＶ＿Ｌ（Ｕ、Ｖ、Ｗ）についても同様である。さらに、ハイサイドスイッチ、あるいはローサイドスイッチの少なくとも一方のオン状態は、同図（ａ）〜（ｃ）に示す駆動波形が得られるように、パルス幅変調されており、スイッチング回路１０ｕ〜１０ｗのハイサイドスイッチもしくはローサイドスイッチは、高い周波数でオンオフを交互に繰り返す。
【００４８】
駆動信号合成回路３４は、逆起検出信号ＢＥＭＦ＿ＥＤＧＥが出力されるたびに、所定の駆動シーケンスにしたがって、スイッチング回路１０ｕ〜１０ｗの駆動信号ＤＲＶ＿Ｈ、ＤＲＶ＿Ｌのオンオフ状態を遷移させる。
【００４９】
同図（ｆ）に示すウィンドウ信号ＷＩＮＤＯＷは、ゼロクロス点が発生する時刻に先立ち、ウィンドウ生成回路４０によりハイレベルとされる。駆動信号合成回路３４は、ウィンドウ生成回路４０がハイレベルの期間、スイッチング回路１０ｕに出力する駆動信号ＤＲＶ＿ＨＵ、ＤＲＶ＿ＬＵをローレベルとし、ハイサイドスイッチおよびローサイドスイッチをオフして、ハイインピーダンス状態とする。同図（ｇ）、（ｊ）に、ゼロクロス点の検出のために、ハイインピーダンス状態に設定される期間を斜線で示す。ウィンドウ信号ＷＩＮＤＯＷがハイレベルとなり、コイルＬｕの一端がハイインピーダンス状態に設定されると、ゼロクロス点の検出が可能となり、逆起検出信号ＢＥＭＦ＿ＥＤＧＥが生成される。逆起検出信号ＢＥＭＦ＿ＥＤＧＥがハイレベルとなると、ウィンドウ生成回路４０は、ウィンドウ信号ＷＩＮＤＯＷをローレベルとする。
【００５０】
図５（ａ）〜（ｄ）は、ウィンドウ信号ＷＩＮＤＯＷが生成される様子を示すタイムチャートである。同図（ａ）は、逆起検出信号ＢＥＭＦ＿ＥＤＧＥを、同図（ｂ）は、パルス信号生成回路４２により生成されるパルス信号ＰＵＬＳＥを、同図（ｃ）は、カウンタ６０により生成されるオープンエッジ信号ＯＰＥＮ＿ＥＤＧＥを、同図（ｄ）は、ウィンドウ信号ＷＩＮＤＯＷを示す。
【００５１】
逆起検出信号ＢＥＭＦ＿ＥＤＧＥがハイレベルとなると、図３の周波数カウンタ５０は、カウントを開始し、次に逆起検出信号ＢＥＭＦ＿ＥＤＧＥがハイレベルとなる時刻までにカウントしたカウント値ＣＯＵＮＴを、記憶部５２へと出力する。記憶部５２には、少なくとも過去１回分のカウント値ＣＯＵＮＴが保持される。周波数カウンタ５０のカウントに用いたクロックの周期をＴｃｋとすると、逆起検出信号ＢＥＭＦ＿ＥＤＧＥの周期Ｔｐ１は、Ｔｃｋ×ＣＯＵＮＴとなる。演算部５４は、過去Ｋ回分のカウント値を用いて、パルス信号ＰＵＬＳＥの周期Ｔｐ２をＴｐ２＝Ｔｐ１／ｎとなるように決定する。その結果、図５（ｂ）に示すように、パルス信号生成回路４２から出力されるパルス信号ＰＵＬＳＥの周期Ｔｐ２は、逆起検出信号ＢＥＭＦ＿ＥＤＧＥの周期Ｔｐ１の１／ｎとなる。
【００５２】
図３のカウンタ６０は、時刻ｔ０に、ある逆起検出信号ＢＥＭＦ＿ＥＤＧＥがハイレベルとなると、パルス信号生成回路４２からのパルス信号ＰＵＬＳＥのカウントを開始する。時刻ｔ１に、カウンタ６０は、ｍ個のパルス信号ＰＵＬＳＥをカウントすると、ハイレベルのオープンエッジ信号ＯＰＥＮ＿ＥＤＧＥを出力する。
【００５３】
ウィンドウ信号出力部６２は、時刻ｔ１にオープンエッジ信号ＯＰＥＮ＿ＥＤＧＥがハイレベルとなってから、次に逆起検出信号ＢＥＭＦ＿ＥＤＧＥがハイレベルとなる時刻ｔ２までの期間、ウィンドウ信号ＷＩＮＤＯＷをハイレベルとする。
【００５４】
このように、本実施の形態に係るモータ駆動回路１００では、ゼロクロス点の検出に先立ち、逆起検出回路２０から出力される逆起検出信号ＢＥＭＦ＿ＥＤＧＥの周期Ｔｐ１に所定の係数（１−ｍ／ｎ）を乗じた期間、ハイレベルとなるウィンドウ信号ＷＩＮＤＯＷを生成し、このウィンドウ信号ＷＩＮＤＯＷがハイレベルとなる期間を、ゼロクロス点検出用の非駆動期間Ｔｐ３に設定する。その結果、非駆動期間Ｔｐ３を、モータの回転数に応じて適応的に設定することができる。さらに、従来のように非駆動期間を固定した場合では、予め長い非駆動時間を設定する必要があったが、本実施の形態によれば、必要以上に長く設定する必要がなくなるため、モータの駆動電流を滑らかにすることができ、モータから発生する騒音を低減することができる。
【００５５】
さらに、ウィンドウ生成回路４０は、ある逆起検出信号ＢＥＭＦ＿ＥＤＧＥが出力されてから、逆起検出信号ＢＥＭＦ＿ＥＤＧＥの周期Ｔｐ１に係数（１−ｍ／ｎ）を乗じた期間（Ｔｐ２×ｍ）の経過後に、ウィンドウ信号ＷＩＮＤＯＷをハイレベルとし、その後、逆起検出回路２０から、次の逆起検出信号ＢＥＭＦ＿ＥＤＧＥが出力されたことを契機として、ウィンドウ信号ＷＩＮＤＯＷを、ローレベルとした。その結果、スイッチング回路１０ｕをハイインピーダンス状態とするタイミングを、ゼロクロス点の検出に先立ち、確実に設定することができる。
【００５６】
さらに、実施の形態では、タイミング設定部４４において、カウントするパルス信号ＰＵＬＳＥの個数ｍを調節可能とした。その結果、非駆動期間Ｔｐ３の長さを、駆動対象のモータの種類などに応じて変更することができ、安定したモータ駆動が実現される。
【００５７】
さらに、実施の形態では、パルス信号生成回路４２において、整数Ｋを調節可能とした。その結果、整数Ｋを小さく設定した場合には、帰還ループの利得が上がるため、モータの回転数の変動に対する追従性を高く設定することができ、逆に、Ｋを大きく設定した場合には、帰還ループの利得が下がるため、ループの安定度を高めることができる。したがって、モータの種類や、回転数、駆動方式に応じて、Ｋの値を設定することにより、最適なモータ駆動を実現することができる。
【００５８】
つぎに、本実施の形態に係るモータ駆動回路１００のアプリケーションの例について説明する。図６は、図１のモータ駆動回路１００を搭載したディスク装置２００の構成を示すブロック図である。ディスク装置２００は、ＣＤやＤＶＤなどの光ディスクに対して記録、再生処理を行うユニットであり、ＣＤプレイヤやＤＶＤプレイヤ、パーソナルコンピュータなどの電子機器に搭載される。ディスク装置２００は、ピックアップ２１０、信号処理部２１２、ディスク２１４、モータ１１０、モータ駆動回路１００を含む。
【００５９】
ピックアップ２１０は、ディスク２１４にレーザを照射して所望のデータを書き込み、あるいは、反射した光を読み込むことによりディスク２１４に書き込まれたデータを読み出す。信号処理部２１２は、ピックアップ２１０により読み書きするデータに対して増幅処理、Ａ／Ｄ変換あるいはＤ／Ａ変換など必要な信号処理を行う。モータ１１０は、ディスク２１４を回転させるために設けられたスピンドルモータである。図６に示すようなディスク装置２００は、特に小型化が要求されるため、モータ１１０としてホール素子などを用いないセンサレスタイプが用いられる。本実施の形態に係るモータ駆動回路１００は、このようなセンサレスのスピンドルモータを安定に駆動するために好適に用いることができる。
【００６０】
以上、本発明を実施の形態をもとに説明した。この実施の形態は例示であり、それらの各構成要素や各処理プロセスの組合せにいろいろな変形例が可能なこと、またそうした変形例も本発明の範囲にあることは当業者に理解されるところである。
【００６１】
実施の形態では、３相モータを駆動する場合について説明したが、本発明は３相以外のセンサレスモータの駆動にも好適に用いることができる。たとえば、５相モータであってもよい。また、実施の形態では、Ｕ相の逆起電圧Ｖｕを中点電圧Ｖｃｏｍと比較してゼロクロス点の検出を行い、さらに非駆動期間において、Ｕ相のスイッチング回路１０ｕをハイインピーダンスとする場合について説明したが、本発明はこれに限定されるものではない。たとえば、Ｕ相、Ｖ相、Ｗ相のそれぞれに逆起検出回路２０を設け、逆起検出信号ＢＥＭＦ＿ＥＤＧＥを生成し、それぞれのゼロクロス点の検出に先立って、非駆動期間を設定してもよい。この場合でも、逆起検出信号ＢＥＭＦ＿ＥＤＧＥの周期Ｔｐ１に所定の計数を乗じた期間、ウィンドウ信号ＷＩＮＤＯＷをハイレベルとすればよい。
【００６２】
また、実施の形態では、１８０度通電のＰＷＭ方式によりモータを駆動する場合について説明したが、本発明はこれに限定されるものではなく、ゼロクロス点の検出のために、スイッチング回路１０をハイインピーダンスとする必要があるモータ駆動回路全般に使用することができる。
【００６３】
実施の形態で説明した信号のハイレベル、ローレベルのロジックの設定は一例であって、論理回路ブロックの構成には様々な変形例が考えられ、こうした変形例も本発明の範囲に含まれる。
【図面の簡単な説明】
【００６４】
【図１】実施の形態に係るモータ駆動回路の構成を示すブロック図である。
【図２】モータ駆動回路の一部の構成例を示すブロック図である。
【図３】パルス信号生成回路およびタイミング設定部の構成例を示すブロック図である。
【図４】図４（ａ）〜（ｌ）は、実施の形態に係るモータ駆動回路の動作を示すタイムチャートである。
【図５】図５（ａ）〜（ｄ）は、ウィンドウ信号ＷＩＮＤＯＷが生成される様子を示すタイムチャートである。
【図６】図１のモータ駆動回路を搭載したディスク装置の構成を示すブロック図である。
【符号の説明】
【００６５】
１００  モータ駆動回路、  １０  スイッチング回路、  ２０  逆起検出回路、  ３０  スイッチング制御回路、  ３２  駆動タイミング生成回路、  ３４  駆動信号合成回路、  ４０  ウィンドウ生成回路、  ４２  パルス信号生成回路、  ４４  タイミング設定部、  ５０  周波数カウンタ、  ５２  記憶部、  ５４  演算部、  ５６  クロック信号生成部、  ６０  カウンタ、  ６２  ウィンドウ信号出力部、  １１０  モータ、  ２１０  ピックアップ、  ２１２  信号処理部、  ２１４  ディスク。
【図１】
2007267553.tif 000003
【図２】
2007267553.tif 000004
【図３】
2007267553.tif 000005
【図４】
2007267553.tif 000006
【図５】
2007267553.tif 000007
【図６】
2007267553.tif 000008